(57)【要約】【課題】 温泉の特徴や利用に当たっての有益な情報を一般的な利用者にわかりやすく記載することを課題とする。【解決手段】   法律上に表示が義務付けられている温泉の利用情報すなわち循環および加温および加水および入浴剤または消毒の有無と理由を記載することを特徴とする温泉情報表示票において、源泉と浴槽の両方の温泉成分分析表を併記することを特徴とする。また、温泉成分分析表をわかりやすく表現するために、温泉に一般に含まれる主要６成分の含有量を図形化したヘキサダイアグラムや、効能と入浴感覚に関連する含有成分のうち主要な成分をグラフ表示で記載することを特徴とする。また、温泉の専門家や利用者による感覚評価すなわちつるつる感や泡つき感などの皮膚感覚、塩味や苦味などの味覚、硫黄臭などの嗅覚により感知する温泉の特徴を、段階表示や文章表現により記載することを特徴とする。【選択図】図１
2006323262.tif 000002
【特許請求の範囲】
【請求項１】
温泉の利用情報すなわち循環および加温および加水および入浴剤または消毒の有無と理由を記載することを特徴とする温泉情報表示票において、源泉と浴槽の両方の温泉成分分析表を併記することを特徴とする温泉情報表示票。
【請求項２】
温泉の利用情報すなわち循環および加温および加水および入浴剤または消毒の有無と理由を記載することを特徴とする温泉情報表示票において、温泉成分分析表をわかりやすく表現するために、ヘキサダイアグラム、すなわちナトリウムイオン、カルシウムイオン、マグネシウムイオン、塩化物イオン、炭酸水素イオン、硫酸イオンの当量または重量、もしくは各イオンに類するイオン（例えば炭酸水素イオンにおける炭酸イオン）を含めたものの当量または重量を、図形またはグラフで表示したものを記載することを特徴とする温泉情報表示票。
【請求項３】
温泉の利用情報すなわち循環および加温および加水および入浴剤または消毒の有無と理由を記載することを特徴とする温泉情報表示票において、温泉成分分析表をわかりやすく表現するために、効能と入浴感覚に関連する含有成分すなわち二酸化炭素、リチウムイオン、ストロンチウムイオン、バリウムイオン、鉄イオン、マンガンイオン、水素イオン、臭化物イオン、ヨウ化物イオン、フッ化物イオン、ヒ酸水素イオン、メタ亜ヒ酸、硫黄、メタホウ酸、メタケイ酸、炭酸水素ナトリウム、ラドン、ラジウム塩、銅イオン、アルミニウムイオン、ナトリウムイオン、カルシウムイオン、マグネシウムイオン、塩化物イオン、炭酸水素イオン、炭酸イオン、硫酸イオンのうち、全成分または主要な成分をグラフ表示で記載することを特徴とする温泉情報表示票。
【請求項４】
温泉の利用情報すなわち循環および加温および加水および入浴剤または消毒の有無と理由を記載することを特徴とする温泉情報表示票において、温泉の専門家や利用者による感覚評価すなわちつるつる感や泡つき感などの皮膚感覚、塩味や苦味などの味覚、硫黄臭などの嗅覚により感知する温泉の特徴を、段階表示や文章表現により記載することを特徴とする温泉情報表示票。
【発明の詳細な説明】
【技術分野】
【０００１】
本発明は、温泉の利用方法、加工方法、成分、温度などを記載する表示票に関する。
【背景技術】
【０００２】
温泉を浴用および飲用する施設では、温泉の成分を掲示することが温泉法に定められている。また、平成１７年５月２４日に改正される温泉法施行規則では、温泉成分に影響を与える項目すなわち、加水の有無と理由、加温の有無と理由、循環の有無と理由、入浴剤・消毒の有無と内容と理由を追加して掲示することが定められている。
【０００３】
従来、温泉の成分を掲示する方法としては、含有するイオンや遊離成分、ガス成分などについて重量、当量などを数値で羅列する表形式のものが主流である。この方法は、温泉や化学分野に十分な知識を有する利用者には理解できるものであったが、一般的な利用者にとっては理解が難しく、温泉の特徴や利用に当たっての有益な情報を、わかりやすく表現しているとは言い難かった。
【発明の開示】
【発明が解決しようとする課題】
【０００４】
温泉の特徴や利用に当たっての有益な情報を一般的な利用者にわかりやすく記載することを課題とする。
【課題を解決するための手段】
【０００５】
上記目的を達するため、本発明の温泉情報表示票では、まず、法律上に表示が義務付けられている温泉の利用情報すなわち循環および加温および加水および入浴剤または消毒の有無と理由を記載することを特徴とする温泉情報表示票において、源泉と浴槽の両方の温泉成分分析表を併記することを特徴とする。また、温泉成分分析表をわかりやすく表現するために、ヘキサダイアグラム、すなわちナトリウムイオン、カルシウムイオン、マグネシウムイオン、塩化物イオン、炭酸水素イオン、硫酸イオンの当量または重量、もしくは各イオンに類するイオン（例えば炭酸水素イオンにおける炭酸イオン）を含めたものの当量または重量を、図形またはグラフで表示したものを記載することを特徴とする。また、温泉成分分析表をわかりやすく表現するために、効能と入浴感覚に関連する含有成分すなわち二酸化炭素、リチウムイオン、ストロンチウムイオン、バリウムイオン、鉄イオン、マンガンイオン、水素イオン、臭化物イオン、ヨウ化物イオン、フッ化物イオン、ヒ酸水素イオン、メタ亜ヒ酸、硫黄、メタホウ酸、メタケイ酸、炭酸水素ナトリウム、ラドン、ラジウム塩、銅イオン、アルミニウムイオン、ナトリウムイオン、カルシウムイオン、マグネシウムイオン、塩化物イオン、炭酸水素イオン、炭酸イオン、硫酸イオンのうち、全成分または主要な成分をグラフ表示で記載することを特徴とする。また、温泉の専門家や利用者による感覚評価すなわちつるつる感や泡つき感などの皮膚感覚、塩味や苦味などの味覚、硫黄臭などの嗅覚により感知する温泉の特徴を、段階表示や文章表現により記載することを特徴とする。
【発明の効果】
【０００６】
平成１７年５月２４日に改正される温泉法施行規則では、温泉成分に影響を与える項目すなわち、加水の有無と理由、加温の有無と理由、循環の有無と理由、入浴剤・消毒の有無と内容と理由を追加して掲示することが定められている。その目的は、源泉から浴槽に至るまでの温泉の加工を表示することであるが、加工の有無と理由が掲示されていも、温泉の加工の結果としての浴槽の温泉成分を具体的に知る方法が無いのが現状である。本発明は、以上説明したように、源泉と浴槽の両方の温泉成分分析表を併記しているので、温泉が源泉から浴槽に至る間に、成分が薄められていたり、劣化していたり、加工されていた場合に、両分析表の数値の比較により、一般的な利用者でも容易に気付くことが可能である。
【０００７】
また、温泉成分分析表をわかりやすく表現するための手法として、ヘキサダイアグラムを記載する。すなわち、温泉に一般に含まれるナトリウムイオン、カルシウムイオン、マグネシウムイオン、塩化物イオン、炭酸水素イオン、硫酸イオンの当量または重量、もしくは各イオンに類するイオン（例えば炭酸水素イオンにおける炭酸イオン）を含めたものの当量または重量を、図形またはグラフで表示したものを記載する。これにより、グラフの形を見ることによって一見してその温泉成分の概要を把握することができ、温泉の特徴を即座に理解することが可能である。
【０００８】
また、同様に温泉成分分析表をわかりやすく表現するための手法として、効能と入浴感覚に関連する含有成分のうち、全成分または主要なものをグラフ表示で記載する。効能と入浴感覚に関連する含有成分とはすなわち温泉法あるいは鉱泉分析法指針に定められた成分である二酸化炭素、リチウムイオン、ストロンチウムイオン、バリウムイオン、鉄イオン、マンガンイオン、水素イオン、臭化物イオン、ヨウ化物イオン、フッ化物イオン、ヒ酸水素イオン、メタ亜ヒ酸、硫黄、メタホウ酸、メタケイ酸、炭酸水素ナトリウム、ラドン、ラジウム塩、銅イオン、アルミニウムイオンに加え、温泉に一般に含まれるナトリウムイオン、カルシウムイオン、マグネシウムイオン、塩化物イオン、炭酸水素イオン、炭酸イオン、硫酸イオンである。例えばこれらの成分が、それぞれ温泉法あるいは鉱泉分析法指針に定められた基準値の何倍含まれているかを比較し、上位いくつかの成分をグラフ表示することにより、その温泉にはどの成分が特徴的に含まれているかを一見して把握することができ、温泉の特徴を即座に理解することが可能である。
【０００９】
さらに、温泉の特徴を一般的な利用者にわかりやすく表現するために、温泉の専門家や利用者による感覚評価すなわちつるつる感や泡つき感などの皮膚感覚、塩味や苦味などの味覚、硫黄臭などの嗅覚により感知する温泉の特徴を、段階表示や文章表現により記載する。これにより、特に温泉や化学分野に十分な知識を有しない一般的な利用者にとっても、その温泉の成分や感触などを容易に把握することができ、温泉の特徴を即座に理解することが可能である。
【００１０】
また、この温泉情報表示票は温泉や化学分野に十分な知識を有する専門家やマニアにとっても、従来の数値のみの表示に比べて、グラフなど視覚に捉えやすい表現や、感覚評価などの記載があるため、温泉の特徴を理解する良好な手段になり得る。加えて、一般的な利用者がこうした温泉情報に興味をそそられ、温泉や化学分野の知識を学習する端緒になることも期待される。
【発明を実施するための最良の形態】
【００１１】
本発明を実施する上で最良の形態と考えられるものを以下に説明する。
【実施例】
【００１２】
請求項１〜４に記載した内容を具備した例を図１に示す。最上部に温泉施設名が記載され、次に、加水の有無と理由、加温の有無と理由、循環の有無と理由、入浴剤・消毒の有無と内容と理由などの温泉利用情報が記載される。次に、温泉の専門家や利用者による皮膚感覚、味覚、嗅覚で感知する項目を示す感覚評価の欄がある。次に、温泉分析情報の欄があり、左側半分に浴槽、右側半分に源泉の内容が記載される。それぞれの上部に、温泉成分分析表をわかりやすく表現するための手法であるグラフが記載され、その下部には最も詳細で加工されていない言わば生データである温泉分析表が記載される構成となっている。
【００１３】
それぞれの部分について順次説明を行う。まず、温泉利用情報の欄では、温泉法施行規則に義務付けられる加水の有無と理由、加温の有無と理由、循環の有無と理由、入浴剤・消毒の有無と内容と理由の項目が記載される。例えば、加水の欄には、通常記載する加水の有無と理由のほか、加水程度をわかりやすくする指標として源泉と浴槽の成分量比率から算出される源泉の割合（例えば源泉率と名づけることができる）を表示することも可能である。あるいは、源泉の割合を表示する際に、その割合のみに捉われて温泉の概観を誤解することがないように成分総量を併記することも可能である。図２に例を示す。
【００１４】
次に、温泉の専門家や利用者による皮膚感覚、味覚、嗅覚で感知する項目を示す感覚評価の欄がある。ここでは皮膚感覚として、つるつる感、泡つき感など、味覚として、塩味、苦味、酸味、甘味など、嗅覚として、硫黄臭、モール臭、油臭、その他の温泉臭などの項目を記載している。その他、その湯がどの程度珍しいか或いは希少価値を有するか、また、透明感や濃厚さなどを示す項目も記載している。これらは段階評価として、例えば星印の数でその程度を表したり、棒グラフでその程度を表したりする方法がある。また、これらを総合してその湯から感じられる感覚を文章で平易に表現する欄を設けている。図３に例を示す。
【００１５】
次に温泉分析情報の欄があり、左側半分に浴槽、右側半分に源泉の内容を記載している。それぞれの上部に、温泉成分分析表をわかりやすく表現するための手法であるグラフを記載している。まず、温泉に一般に含まれる指定６成分（ナトリウムイオン、カルシウムイオン、マグネシウムイオン、塩化物イオン、炭酸水素イオンと炭酸イオンの合計、硫酸イオン）を図形化したヘキサダイアグラムを記載している。ヘキサダイアグラムの左隣にその温泉の各成分がそれぞれ温泉法あるいは鉱泉分析法指針に定められた基準値の何倍含まれているかを比較し、上位３成分をグラフで表示している。また、ヘキサダイアグラムの右隣にはその温泉の成分総量や温度という基幹を成す情報をグラフで示している。また、これらの上部にはやはり温泉の特徴を表す重要な指標である水素イオン濃度（ｐＨ）を棒グラフで示している。図４に例を示す。
【産業上の利用可能性】
【００１６】
本発明は、温泉の特徴や利用に当たっての有益な情報を、わかりやすく表現・記載しているため、温泉や化学分野に十分な知識を有しない一般的な利用者にも容易に理解することができるため、温泉法で義務付けられている温泉の浴用・飲用施設での温泉成分の掲示に最適である。また、それらを転記・編集した温泉ガイドブックや、温泉紹介のホームページに利用することが適している。こうした利用が広範になされることにより、専門家やマニアはもとより、一般的な利用者も温泉情報に興味をそそられ、温泉や化学分野の知識を学習し、温泉分野の普及啓発が促進されることが期待される。
【図面の簡単な説明】
【００１７】
【図１】請求項１〜４に記載した内容を具備した温泉情報表示板の例である。
【図２】温泉利用情報の記載例である。
【図３】感覚評価の記載例である。
【図４】温泉成分分析表をわかりやすく表現するグラフの記載例である。
【符号の説明】
【００１８】
１  温泉利用情報の記載欄
２  感覚評価の記載欄
３  浴槽内・源泉の温泉成分分析情報の記載欄
【図１】
2006323262.tif 000003
【図２】
2006323262.tif 000004
【図３】
2006323262.tif 000005
【図４】
2006323262.tif 000006